(57)【要約】  検知結果送信部９３は、検知された目線状態およびユーザの認証の結果を動画管理装置８０に送信する。送信態様選択部８１は、受信した目線状態および認証の結果に応じて、動画コンテンツの送信態様を選択する。送信態様選択部８１は、ユーザが認証され、かつ、目線状態がユーザ端末９０に表示される動画コンテンツを見ていない状態である場合、データ量を抑制するように動画コンテンツを送信する送信態様を選択する。動画コンテンツ送信部８２は、選択された送信態様に応じて動画コンテンツをユーザ端末９０に送信する。
2018179880.tif 000002
【特許請求の範囲】
【請求項１】
サーバから配信される動画コンテンツを管理する動画管理装置と、
前記動画管理装置から送信される前記動画コンテンツを表示するユーザ端末とを備え、
前記ユーザ端末は、ユーザの目線状態および顔画像を検知する検知部と、検知された顔画像から前記ユーザの認証を行うユーザ認証部と、
検知された目線状態および前記認証の結果を前記動画管理装置に送信する検知結果送信部とを含み、
前記動画管理装置は、
受信した目線状態および認証の結果に応じて、動画コンテンツの送信態様を選択する送信態様選択部と、
選択された送信態様に応じて前記動画コンテンツを前記ユーザ端末に送信する動画コンテンツ送信部とを含み、
前記動画管理装置の送信態様選択部は、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画コンテンツ制御システム。
【請求項２】
送信態様選択部は、データ量を抑制するように動画コンテンツを送信する送信態様として、当該動画コンテンツの音声のみ送信することを選択し、
動画コンテンツ送信部は、動画コンテンツから音声を抽出してユーザ端末に送信する
請求項１記載の動画コンテンツ制御システム。
【請求項３】
送信態様選択部は、データ量を抑制するように動画コンテンツを送信する送信態様として、ユーザ端末に送信するビットレートを低減させることを選択し、
動画コンテンツ送信部は、ビットレートを低減させて動画コンテンツをユーザ端末に送信する
請求項１記載の動画コンテンツ制御システム。
【請求項４】
検知結果送信部は、ユーザが認証された場合に、検知された目線状態および認証の結果を動画管理装置に送信する
請求項１から請求項３のうちのいずれか１項に記載の動画コンテンツ制御システム。
【請求項５】
検知部は、複数のユーザの目線状態および顔画像を検知し、
送信態様選択部は、一部のユーザが認証され、かつ、全ての目線状態が前記ユーザ端末に表示される動画コンテンツを見ていない状態である場合、データ量を抑制するように動画コンテンツを送信する送信態様を選択する
請求項１から請求項４のうちのいずれか１項に記載の動画コンテンツ制御システム。
【請求項６】
要求に応じて動画コンテンツを配信する配信サーバと、
前記配信サーバから送信される前記動画コンテンツを表示するユーザ端末とを備え、
前記ユーザ端末は、
ユーザの目線状態および顔画像を検知する検知部と、
検知された顔画像から前記ユーザの認証を行うユーザ認証部と、
前記目線状態および認証の結果に応じて、前記配信サーバによる動画コンテンツの送信態様を選択する送信態様選択部と、
前記送信態様での動画コンテンツの送信を前記配信サーバに要求する配信要求部とを含み、
前記配信サーバは、
前記ユーザ端末からの要求に応じた送信態様で前記動画コンテンツを当該ユーザ端末に送信する動画コンテンツ送信部を含み、
前記ユーザ端末の送信態様選択部は、データ量を抑制するように動画コンテンツを送信する送信態様を選択する
ことを特徴とする動画コンテンツ制御システム。
【請求項７】
送信態様選択部は、データ量を抑制するように動画コンテンツを送信する送信態様として、当該動画コンテンツの音声のみ送信することを選択し、
動画コンテンツ送信部は、動画コンテンツから音声を抽出してユーザ端末に送信する
請求項６記載の動画コンテンツ制御システム。
【請求項８】
送信態様選択部は、データ量を抑制するように動画コンテンツを送信する送信態様として、ユーザ端末に送信するビットレートを低減させることを選択し、
動画コンテンツ送信部は、ビットレートを低減させて動画コンテンツをユーザ端末に送信する
請求項６記載の動画コンテンツ制御システム。
【請求項９】
サーバから配信される動画コンテンツを管理する動画管理装置であって、
前記動画管理装置から送信される前記動画コンテンツを表示するユーザ端末から、検知されたユーザの顔画像による認証の結果、および、ユーザの目線状態を受信し、受信した目線状態および認証の結果に応じて、動画コンテンツの送信態様を選択する送信態様選択部と、
選択された送信態様に応じて前記動画コンテンツを前記ユーザ端末に送信する動画コンテンツ送信部とを備え、
前記送信態様選択部は、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画管理装置。
【請求項１０】
送信態様選択部は、データ量を抑制するように動画コンテンツを送信する送信態様として、当該動画コンテンツの音声のみ送信することを選択し、
動画コンテンツ送信部は、動画コンテンツから音声を抽出してユーザ端末に送信する
請求項９記載の動画管理装置。
【請求項１１】
送信態様選択部は、データ量を抑制するように動画コンテンツを送信する送信態様として、ユーザ端末に送信するビットレートを低減させることを選択し、
動画コンテンツ送信部は、ビットレートを低減させて動画コンテンツをユーザ端末に送信する
請求項９記載の動画管理装置。
【請求項１２】
配信サーバから送信される動画コンテンツを表示するユーザ端末であって、
ユーザの目線状態および顔画像を検知する検知部と、
検知された顔画像から前記ユーザの認証を行うユーザ認証部と、
前記目線状態および認証の結果に応じて、前記配信サーバによる動画コンテンツの送信態様を選択する送信態様選択部と、
前記送信態様での動画コンテンツの送信を前記配信サーバに要求する配信要求部とを備え、
前記送信態様選択部は、データ量を抑制するように動画コンテンツを送信する送信態様を選択する
ことを特徴とするユーザ端末。
【請求項１３】
送信態様選択部は、データ量を抑制するように動画コンテンツを送信する送信態様として、当該動画コンテンツの音声のみ送信することを選択する
請求項１２記載のユーザ端末。
【請求項１４】
送信態様選択部は、データ量を抑制するように動画コンテンツを送信する送信態様として、ユーザ端末に送信するビットレートを低減させることを選択する
請求項１２記載のユーザ端末。
【請求項１５】
動画コンテンツを表示するユーザ端末が、ユーザの目線状態および顔画像を検知し、
前記ユーザ端末が、検知された顔画像から前記ユーザの認証を行い、
前記ユーザ端末が、検知された目線状態および前記認証の結果を、サーバから配信される動画コンテンツを前記ユーザ端末に送信する動画管理装置に送信し、
前記動画管理装置が、前記ユーザ端末から受信した目線状態および認証の結果に応じて、動画コンテンツの送信態様を選択し、
前記動画管理装置が、選択された送信態様に応じて前記動画コンテンツを前記ユーザ端末に送信し、
前記送信態様を選択する際、前記動画管理装置が、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画コンテンツ制御方法。
【請求項１６】
動画管理装置が、データ量を抑制するように動画コンテンツを送信する送信態様として、当該動画コンテンツの音声のみ送信することを選択し、
前記動画管理装置が、動画コンテンツから音声を抽出してユーザ端末に送信する
請求項１５記載の動画コンテンツ制御方法。
【請求項１７】
動画管理装置が、データ量を抑制するように動画コンテンツを送信する送信態様として、ユーザ端末に送信するビットレートを低減させることを選択し、
前記動画管理装置が、ビットレートを低減させて動画コンテンツをユーザ端末に送信する
請求項１５記載の動画コンテンツ制御方法。
【請求項１８】
動画コンテンツを表示するユーザ端末が、ユーザの目線状態および顔画像を検知し、
前記ユーザ端末が、検知された顔画像から前記ユーザの認証を行い、
前記ユーザ端末が、要求に応じて動画コンテンツを配信する配信サーバによる動画コンテンツの送信態様を、前記目線状態および認証の結果に応じて選択し、
前記ユーザ端末が、前記送信態様での動画コンテンツの送信を前記配信サーバに要求し、
前記配信サーバが、前記ユーザ端末からの要求に応じた送信態様で前記動画コンテンツを当該ユーザ端末に送信し、
前記送信態様を選択する際、前記ユーザ端末が、データ量を抑制するように動画コンテンツを送信する送信態様を選択する
ことを特徴とする動画コンテンツ制御方法。
【請求項１９】
ユーザ端末が、データ量を抑制するように動画コンテンツを送信する送信態様として、当該動画コンテンツの音声のみ送信することを選択し、
配信サーバが、動画コンテンツから音声を抽出してユーザ端末に送信する
請求項１８記載の動画コンテンツ制御方法。
【請求項２０】
ユーザ端末が、データ量を抑制するように動画コンテンツを送信する送信態様として、ユーザ端末に送信するビットレートを低減させることを選択し、
配信サーバが、ビットレートを低減させて動画コンテンツをユーザ端末に送信する
請求項１８記載の動画コンテンツ制御方法。
【請求項２１】
サーバから配信される動画コンテンツを管理する動画管理方法であって、
前記動画管理装置から送信される前記動画コンテンツを表示するユーザ端末から、検知されたユーザの顔画像による認証の結果、および、ユーザの目線状態を受信し、
受信した目線状態および認証の結果に応じて、動画コンテンツの送信態様を選択し、
選択された送信態様に応じて前記動画コンテンツを前記ユーザ端末に送信し、
前記送信態様を選択する際、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画管理方法。
【請求項２２】
データ量を抑制するように動画コンテンツを送信する送信態様として、当該動画コンテンツの音声のみ送信することを選択し、
動画コンテンツから音声を抽出してユーザ端末に送信する
請求項２１記載の動画管理方法。
【請求項２３】
データ量を抑制するように動画コンテンツを送信する送信態様として、ユーザ端末に送信するビットレートを低減させることを選択し、
ビットレートを低減させて動画コンテンツをユーザ端末に送信する
請求項２１記載の動画管理方法。
【請求項２４】
配信サーバから送信される動画コンテンツを受信して表示する動画コンテンツ受信方法であって、
ユーザの目線状態および顔画像を検知し、
検知された顔画像から前記ユーザの認証を行い、
前記目線状態および認証の結果に応じて、前記配信サーバによる動画コンテンツの送信態様を選択し、
前記送信態様での動画コンテンツの送信を前記配信サーバに要求し、
前記送信態様を選択する際、データ量を抑制するように動画コンテンツを送信する送信態様を選択する
ことを特徴とする動画コンテンツ受信方法。
【請求項２５】
データ量を抑制するように動画コンテンツを送信する送信態様として、当該動画コンテンツの音声のみ送信することを選択する請求項２４記載の動画コンテンツ受信方法。
【請求項２６】
データ量を抑制するように動画コンテンツを送信する送信態様として、ユーザ端末に送信するビットレートを低減させることを選択する
請求項２４記載の動画コンテンツ受信方法。
【請求項２７】
サーバから配信される動画コンテンツを管理するコンピュータに適用される動画コンテンツ制御プログラムであって、
前記コンピュータに、
当該コンピュータから送信される前記動画コンテンツを表示するユーザ端末から、検知されたユーザの顔画像による認証の結果、および、ユーザの目線状態を受信し、受信した目線状態および認証の結果に応じて、動画コンテンツの送信態様を選択する送信態様選択処理、および、
選択された送信態様に応じて前記動画コンテンツを前記ユーザ端末に送信する動画コンテンツ送信処理を実行させ、
前記送信態様選択処理で、前記ユーザが認証され、かつ、前記目線状態が前記ユーザ端末に表示される動画コンテンツを見ていない状態である場合、データ量を抑制するように動画コンテンツを送信する送信態様を選択させる
ための動画コンテンツ制御プログラム。
【請求項２８】
コンピュータに、
送信態様選択処理で、データ量を抑制するように動画コンテンツを送信する送信態様として、当該動画コンテンツの音声のみ送信することを選択させ、
動画コンテンツ送信処理で、動画コンテンツから音声を抽出してユーザ端末に送信させる
請求項２７記載の動画コンテンツ制御プログラム。
【請求項２９】
コンピュータに、
送信態様選択処理で、データ量を抑制するように動画コンテンツを送信する送信態様として、ユーザ端末に送信するビットレートを低減させることを選択させ、
動画コンテンツ送信処理で、ビットレートを低減させて動画コンテンツをユーザ端末に送信させる
請求項２７記載の動画コンテンツ制御プログラム。
【請求項３０】
配信サーバから送信される動画コンテンツを表示するコンピュータに適用される動画コンテンツ制御プログラムであって、
前記コンピュータに、
ユーザの目線状態および顔画像を検知する検知処理、
検知された顔画像から前記ユーザの認証を行うユーザ認証処理、
前記目線状態および認証の結果に応じて、前記配信サーバによる動画コンテンツの送信態様を選択する送信態様選択処理、および、
前記送信態様での動画コンテンツの送信を前記配信サーバに要求する配信要求処理を実行させ、
前記送信態様選択処理で、データ量を抑制するように動画コンテンツを送信する送信態様を選択させる
ための動画コンテンツ制御プログラム。
【請求項３１】
コンピュータに、
送信態様選択処理で、データ量を抑制するように動画コンテンツを送信する送信態様として、当該動画コンテンツの音声のみ送信することを選択させる
請求項３０記載の動画コンテンツ制御プログラム。
【請求項３２】
コンピュータに、
送信態様選択処理で、データ量を抑制するように動画コンテンツを送信する送信態様として、ユーザ端末に送信するビットレートを低減させることを選択させる
請求項３０記載の動画コンテンツ制御プログラム。
【発明の詳細な説明】
【技術分野】
【０００１】
本発明は、再生される動画コンテンツを制御する動画コンテンツ制御システム、動画管理装置、ユーザ端末、動画コンテンツ受信方法および動画コンテンツ制御プログラムに関する。
【背景技術】
【０００２】
近年、モバイルネットワークの高速化に伴い、大容量の動画データも多く出現してきている。そのため、今後は、第５世代モバイル通信システムのネットワークにおいて、ネットワーク資源の多くが動画トラフィックに使用されてしまう可能性がある。特に仮想移動体通信事業者（Mobile Virtual Network Operator ：ＭＶＮＯ）では、ネットワーク資源の制約が厳しく、現実的な課題と言える。【０００３】
一般に、３ＧＰＰ（Third Generation Partnership Project）のモバイルネットワーク環境などにおいて、ユーザ端末から動画コンテンツの要求が行われた際、コアネットワーク側は、ユーザが端末で動画コンテンツを見ているかどうかは判断することができない。そのため、コアネットワーク側は、要求されたままの動画データを送信している。【０００４】
一方、ユーザ自身が端末を操作することで、動画コンテンツの音声データのみを受信する方法が一般に知られているが、動画データと音声データを切り替えるには端末を操作する煩わしさがあり、車の運転中など端末の操作が制限される環境下では困難である。併せて、不正利用による動画コンテンツの視聴を防止する方法として、ユーザ自身が端末を操作してパスワード認証を行う方法が一般に知られているが、これも端末の操作が制限される環境下では困難である。【０００５】
例えば、特許文献１には、ネットワーク帯域の消費を制御するテレビ電話装置が記載されている。特許文献１に記載されたテレビ電話装置は、通信相手の視線情報を、受信した映像から検出し、その検出した視線情報から、通信相手に送信する映像のビットレートを制御する。【０００６】
特許文献２には、ユーザに何ら操作させることなく、ユーザの所望のアプリケーションを起動させることができる端末装置が記載されている。特許文献２に記載された端末装置は、ユーザの顔画像と正規ユーザの顔画像である登録画像とを照合し、かつユーザの顔画像からユーザの視線を検出する。そして、上記端末装置は、ユーザの顔画像と登録画像の照合が視線以外で一致した場合に、ユーザの認証が成功したものと判断し、ユーザの視線方向に応じたアプリケーションを起動する。【０００７】
また、特許文献３には、消費電力の低減制御をおこなう映像表示装置が記載されている。特許文献３に記載された映像制御装置は、利用者が表示画面を注視しているか否かを判定し、その判定結果に基づいて表示部の光量制御処理または出力部の再生処理を、通常モード処理と省電力モード処理とで切り替える。
【先行技術文献】
【特許文献】
【０００８】
【特許文献１】特開２０１３−０４６３１９号公報
【特許文献２】特開２０１４−０７１４７６号公報
【特許文献３】特開２０１０−２７１３３９号公報
【発明の概要】
【発明が解決しようとする課題】
【０００９】
特許文献１に記載された方法は、視聴者側から相手方に送信するデータ量を低減させてネットワーク帯域の消費を制御する。しかし、大容量の動画コンテンツは、相手側から送信されるデータである。そのため、特許文献１に記載された方法を用いて、相手側から送信されるデータ量を制御することは難しい。【００１０】
また、特許文献２に記載された方法は、視線以外のユーザの顔画像に基づいてユーザの認証を行う。特許文献２に記載された方法を用いることで、操作をすることなくアプリケーションを起動させることは可能であるが、ネットワーク上の通信量まで制御することはできない。【００１１】
また、特許文献３に記載された映像表示装置も、利用者が明示的に操作をすることなく、光量や出力を低減させることは可能である。しかし、特許文献２に記載された方法と同様、このような処理だけでは、ネットワーク上の通信量を低減させることはできない。【００１２】
そこで、本発明は、ユーザに明示的な操作をさせることなく、動画コンテンツが送信されるネットワークの通信量を低減させるように制御できる動画コンテンツ制御システム、動画管理装置、ユーザ端末、動画コンテンツ受信方法および動画コンテンツ制御プログラムを提供することを目的とする。
【課題を解決するための手段】
【００１３】
本発明による動画コンテンツ制御システムは、サーバから配信される動画コンテンツを管理する動画管理装置と、動画管理装置から送信される動画コンテンツを表示するユーザ端末とを備え、ユーザ端末が、ユーザの目線状態および顔画像を検知する検知部と、検知された顔画像からユーザの認証を行うユーザ認証部と、検知された目線状態および認証の結果を動画管理装置に送信する検知結果送信部とを含み、動画管理装置が、受信した目線状態および認証の結果に応じて、動画コンテンツの送信態様を選択する送信態様選択部と、選択された送信態様に応じて動画コンテンツをユーザ端末に送信する動画コンテンツ送信部とを含み、動画管理装置の送信態様選択部が、ユーザが認証され、かつ、目線状態がユーザ端末に表示される動画コンテンツを見ていない状態である場合、データ量を抑制するように動画コンテンツを送信する送信態様を選択することを特徴とする。【００１４】
本発明による他の動画コンテンツ制御システムは、要求に応じて動画コンテンツを配信する配信サーバと、配信サーバから送信される動画コンテンツを表示するユーザ端末とを備え、ユーザ端末が、ユーザの目線状態および顔画像を検知する検知部と、検知された顔画像からユーザの認証を行うユーザ認証部と、目線状態および認証の結果に応じて、配信サーバによる動画コンテンツの送信態様を選択する送信態様選択部と、送信態様での動画コンテンツの送信を配信サーバに要求する配信要求部とを含み、配信サーバが、ユーザ端末からの要求に応じた送信態様で動画コンテンツをそのユーザ端末に送信する動画コンテンツ送信部を含み、ユーザ端末の送信態様選択部が、データ量を抑制するように動画コンテンツを送信する送信態様を選択することを特徴とする。【００１５】
本発明による動画管理装置は、サーバから配信される動画コンテンツを管理する動画管理装置であって、動画管理装置から送信される動画コンテンツを表示するユーザ端末から、検知されたユーザの顔画像による認証の結果、および、ユーザの目線状態を受信し、受信した目線状態および認証の結果に応じて、動画コンテンツの送信態様を選択する送信態様選択部と、選択された送信態様に応じて動画コンテンツをユーザ端末に送信する動画コンテンツ送信部とを備え、送信態様選択部が、ユーザが認証され、かつ、目線状態がユーザ端末に表示される動画コンテンツを見ていない状態である場合、データ量を抑制するように動画コンテンツを送信する送信態様を選択することを特徴とする。【００１６】
本発明によるユーザ端末は、配信サーバから送信される動画コンテンツを表示するユーザ端末であって、ユーザの目線状態および顔画像を検知する検知部と、検知された顔画像からユーザの認証を行うユーザ認証部と、目線状態および認証の結果に応じて、配信サーバによる動画コンテンツの送信態様を選択する送信態様選択部と、送信態様での動画コンテンツの送信を配信サーバに要求する配信要求部とを備え、送信態様選択部が、データ量を抑制するように動画コンテンツを送信する送信態様を選択することを特徴とする。【００１７】
本発明による動画コンテンツ受信方法は、配信サーバから送信される動画コンテンツを受信して表示する動画コンテンツ受信方法であって、ユーザの目線状態および顔画像を検知し、検知された顔画像からユーザの認証を行い、目線状態および認証の結果に応じて、配信サーバによる動画コンテンツの送信態様を選択し、送信態様での動画コンテンツの送信を配信サーバに要求し、送信態様を選択する際、データ量を抑制するように動画コンテンツを送信する送信態様を選択することを特徴とする。【００１８】
本発明による動画コンテンツ制御プログラムは、配信サーバから送信される動画コンテンツを表示するコンピュータに適用される動画コンテンツ制御プログラムであって、コンピュータに、ユーザの目線状態および顔画像を検知する検知処理、検知された顔画像からユーザの認証を行うユーザ認証処理、目線状態および認証の結果に応じて、配信サーバによる動画コンテンツの送信態様を選択する送信態様選択処理、および、送信態様での動画コンテンツの送信を配信サーバに要求する配信要求処理を実行させ、送信態様選択処理で、データ量を抑制するように動画コンテンツを送信する送信態様を選択させることを特徴とする。
【発明の効果】
【００１９】
本発明によれば、ユーザに明示的な操作をさせることなく、動画コンテンツが送信されるネットワークの通信量を低減させるように制御できる。
【図面の簡単な説明】
【００２０】
【図１】本発明による動画コンテンツ制御システムの第１の実施形態の構成例を示すブロック図である。
【図２】第１の実施形態の動画コンテンツ制御システムの動作例を示すフローチャートである。
【図３】本発明による動画コンテンツ制御システムの第２の実施形態の構成例を示すブロック図である。
【図４】第２の実施形態の動画コンテンツ制御システムの動作例を示すフローチャートである。
【図５】本発明による動画コンテンツ制御システムの概要を示すブロック図である。
【図６】本発明による動画コンテンツ制御システムの他の概要を示すブロック図である。
【図７】本発明による動画管理装置の概要を示すブロック図である。
【図８】本発明によるユーザ端末の概要を示すブロック図である。
【発明を実施するための形態】
【００２１】
以下、本発明の実施形態を図面を参照して説明する。なお、以下の説明では、動画コンテンツは、音声を含む映像だけでなく、音声だけのデータを含む。また、送信される動画コンテンツのうち、映像と音声とを区別する場合、送信される映像を映像ストリーム、送信される音声を音声ストリームと記す。
【００２２】
また、動画コンテンツの状態を選択することを、ストリーム選択と記すこともある。配信される動画コンテンツの状態には、通常配信、ビットレートの変更、音声だけが抽出されたデータなどが挙げられる。
【００２３】
実施形態１．
図１は、本発明による動画コンテンツ制御システムの第１の実施形態の構成例を示すブロック図である。なお、図１に示す一方向性の矢印は、あるデータの流れの方向を端的に示したものであり、双方向性を排除するものではない。本実施形態の動画コンテンツ制御システムは、ユーザ端末２０１と、動画管理装置３０１と、動画配信サーバ４０１とを備えている。第１の実施形態では、動画管理装置３０１でストリーム選択が行われる方法を説明する。
【００２４】
ユーザ端末２０１と動画管理装置３０１とは、通信ネットワーク７０１を介して接続される。通信ネットワーク７０１は、例えば、３ＧＰＰセルラ網などである。また、動画管理装置３０１と動画配信サーバ４０１とは、通信ネットワーク７０２を介して接続される。通信ネットワーク７０２は、例えば、インターネットなどである。
【００２５】
ユーザ端末２０１は、カメラデバイス２０２と、目線検知・ユーザ認証部２０３と、動画再生アプリケーション２０４とを含む。ユーザ端末２０１は、例えば、通信ネットワーク７０１に接続されるネットワークデバイスにより実現される。ユーザ端末２０１は、動画管理装置３０１から送信される動画コンテンツを画面に表示する。
【００２６】
カメラデバイス２０２は、ユーザ１０１の目線・顔情報５０１を取得するデバイスである。
【００２７】
目線検知・ユーザ認証部２０３は、ユーザの目線状態および顔画像を検知する。具体的には、目線検知・ユーザ認証部２０３は、ユーザ端末２０１の画面をユーザ１０１が見ているかどうか認証する。ここでは、ユーザが画面を見ていることを検知された場合に、目線状態が有効であるとし、ユーザが画面を見ていないことを検知された場合に、目線状態が無効であると記す。
【００２８】
目線検知・ユーザ認証部２０３は、例えば、ユーザの目線が動画コンテンツを表示するユーザ端末２０１の画面を見ていることを検知して、目線が有効であると判断してもよい。目線検知・ユーザ認証部２０３は、目線を認証する一般的な方法を用いればよい。
【００２９】
さらに、目線検知・ユーザ認証部２０３は、検知された顔画像からユーザ１０１の認証を行う。具体的には、目線検知・ユーザ認証部２０３は、検知された顔画像が登録済みのユーザを示すであるか認証する。ここでは、ユーザが認証された場合、認証結果がＯＫであるとし、ユーザが認証されなかった場合、認証結果がＮＧであると記す。画像を比較する方法は広く知られているため、ここでは詳細な説明は省略する。
【００３０】
目線検知・ユーザ認証部２０３は、目線状態・認証結果５０２を動画管理装置３０１に送信する。
【００３１】
動画再生アプリケーション２０４は、動画管理装置３０１から受信した動画コンテンツを再生する。具体的には、動画再生アプリケーション２０４は、動画コンテンツとして、音声を含む映像、または、音声のみを再生する。
【００３２】
動画管理装置３０１は、ストリーム選択部３０２と、中継部３０３とを含む。図１に例示するように、動画管理装置３０１は、通信ネットワーク７０２（インターネット）と、通信ネットワーク７０１（モバイルネットワーク）の中間に位置する。動画管理装置３０１は、動画配信サーバ４０１から配信される動画コンテンツを管理する。
【００３３】
ストリーム選択部３０２は、ユーザ端末２０１から目線状態・認証結果５０２を受信する。そして、ストリーム選択部３０２は、受信した目線状態・認証結果５０２に応じて、動画コンテンツの送信態様を選択する。
【００３４】
その際、ストリーム選択部３０２は、ユーザが認証されていない場合、動画コンテンツを送信しないと決定する。一方、ストリーム選択部３０２は、ユーザが認証され、かつ、目線状態が無効である（すなわち、ユーザ１０１がユーザ端末２０１に表示される動画コンテンツを見ていない状態である場合）、データ量を抑制するように動画コンテンツを送信する送信態様を選択する。なお、ユーザが認証され、かつ、目線状態が有効である（すなわち、ユーザ１０１がユーザ端末２０１に表示される動画コンテンツを見ている状態である場合）、ストリーム選択部３０２は、通常の送信態様を選択すればよい。
【００３５】
データ量を抑制するように動画コンテンツを変化させる送信態様として、例えば、音声ストリームのみ抜き出して送信する方法や、最低ビットレートで送信する方法が挙げられる。どの種類の送信態様を選択するかは予め定めておいてもよく、データ量に応じていずれかを選択するか決定してもよい。ストリーム選択部３０２は、選択結果５０３を、中継部３０３へ送信する。
【００３６】
中継部３０３は、選択された送信態様に応じて、動画コンテンツをユーザ端末２０１に送信する。中継部３０３は、受信した選択結果５０３をもとに、動画コンテンツを変換してもよい。例えば、通常の映像ストリームが送信態様として選択された場合、中継部３０３は、動画配信サーバ４０１から受信する動画コンテンツ５０４を、無変換のままユーザ端末２０１に送信する。また、例えば、音声ストリームのみ、が送信態様として選択された場合、中継部３０３は、動画コンテンツ５０４から音声のみ抽出した動画コンテンツ５０５を生成し、ユーザ端末２０１に送信する。また、例えば、最低ビットレートが送信態様として選択された場合、中継部３０３は、送信するビットレートを低減させて、動画コンテンツ５０６をユーザ端末２０１に送信する。
【００３７】
なお、上記例では、送信態様として、最低ビットレートを例示したが、ビットレートは最低である必要はない。中継部３０３は、通信ネットワーク７０１の帯域等に応じて予め定めたビットレートに低減させて動画コンテンツを送信してもよい。
【００３８】
ストリーム選択部３０２と、中継部３０３とは、プログラム（動画コンテンツ制御プログラム）に従って動作するコンピュータのＣＰＵによって実現される。例えば、プログラムは、動画管理装置３０１の記憶部（図示せず）に記憶され、ＣＰＵは、そのプログラムを読み込み、プログラムに従って、ストリーム選択部３０２および中継部３０３として動作してもよい。また、ストリーム選択部３０２と、中継部３０３とは、それぞれが専用のハードウェアで実現されていてもよい。
【００３９】
次に、本実施形態の動画コンテンツ制御システムの動作を説明する。図２は、本実施形態の動画コンテンツ制御システムの動作例を示すフローチャートである。
【００４０】
まず、ユーザ端末２０１は、動画コンテンツ５０４の送信を動画配信サーバ４０１へ要求する（ステップＳ１１）。動画配信サーバ４０１は、動画コンテンツ５０４を動画管理装置３０１に送信する（ステップＳ１２）。動画管理装置３０１は、動画コンテンツ５０４を検知する（ステップＳ１３）。そして、動画管理装置３０１は、目線状態・認証結果５０２の送信をユーザ端末２０１へ要求する（ステップＳ１４）。
【００４１】
ユーザ端末２０１は、目線状態・認証結果５０２を動画管理装置３０１へ送信する（ステップＳ１５）。動画管理装置３０１は、認証結果がＮＧの場合、動画をユーザ端末２０１へ送信しない（ステップＳ１６）。一方、認証結果がＯＫの場合、且つ、目線状態が有効の場合、動画管理装置３０１は、動画コンテンツ５０４をユーザ端末２０１へ送信する（ステップＳ１７）。
【００４２】
また、ユーザ端末２０１は、目線状態・認証結果５０２を動画管理装置３０１へ送信する（ステップＳ１８）。ここでは、動画管理装置３０１は、認証結果がＯＫ、且つ、目線状態が無効を示す目線状態・認証結果５０２を受信したとする。この場合、動画管理装置３０１は、動画コンテンツ５０４から音声のみを抜き出し、動画コンテンツ５０５（音声のみ）をユーザ端末２０１へ送信する。または、ＳＳＬ／ＴＬＳなどの暗号化通信に対して、動画管理装置３０１は、動画配信サーバ４０１と動画管理装置３０１との間のネットワーク帯域を絞ることで最低ビットレートを強制して、動画コンテンツ５０６（最低ビットレート）をユーザ端末２０１へ送信する（ステップＳ１９）。
【００４３】
動画管理装置３０１は、動画コンテンツ５０４の終了とともに、目線状態・認証結果５０２の停止をユーザ端末２０１へ要求する（ステップＳ２０）。
【００４４】
以上のように、本実施形態では、ユーザ端末２０１の目線検知・ユーザ認証部２０３が、ユーザ１０１の目線状態および顔画像を検知し、検知された顔画像からユーザの認証を行って、目線状態および認証結果を動画管理装置３０１に送信する。また、動画管理装置３０１のストリーム選択部３０２が、受信した目線状態および認証結果に応じて、動画コンテンツの送信態様を選択し、中継部３０３が、選択された送信態様に応じて動画コンテンツをユーザ端末２０１に送信する。その際、ストリーム選択部３０２は、ユーザが認証され、かつ、目線状態が無効（ユーザ端末２０１に表示される動画コンテンツをユーザ１０１が見ていない状態である場合）、データ量を抑制するように動画コンテンツを送信する。そのような構成により、ユーザに明示的な操作をさせることなく、動画コンテンツが送信されるネットワークの通信量を低減させるように制御できる。
【００４５】
すなわち、図１において、ユーザ１０１の目線・顔情報５０１を検出したユーザ端末２０１は、目線状態とユーザ認証とを組み合わせた目線状態・認証結果５０２を動画管理装置３０１へ送信して、ロック解除と同時に映像ストリーム配信を再開する。動画管理装置３０１は、ユーザ１０１が画面を見ていない時は音声ストリームのみ抜き出し、または最低ビットレートを選択する。これにより、ユーザ１０１自身がユーザ端末２０１を操作することなく、ユーザ１０１以外による不正利用を防止できる。さらに、これにより、トラフィックの抑制を行うことで、通信ネットワーク７０１のネットワーク資源を有効に活用できるようになる。
【００４６】
さらに、本実施形態の動画コンテンツ制御システムを実現するにあたり、既存の動画再生アプリケーション２０４の改修は不要である。
【００４７】
なお、本実施形態では、目線検知・ユーザ認証部２０３が、目線状態および認証結果を動画管理装置３０１に送信する場合について説明した。なお、目線検知・ユーザ認証部２０３は、ユーザが認証されたときに、目線状態および認証結果を動画管理装置３０１に送信してもよい。そのような構成によれば、通信量を削減し、動画管理装置３０１の負荷も軽減できる。
【００４８】
実施形態２．
次に、本発明による動画コンテンツ制御システムの第２の実施形態を説明する。第１の実施形態では、動画管理装置でストリーム選択を行う場合について説明した。本実施形態では、ユーザ端末でストリーム選択を行う方法を説明する。
【００４９】
図３は、本発明による動画コンテンツ制御システムの第２の実施形態の構成例を示すブロック図である。なお、図３に示す一方向性の矢印も、あるデータの流れの方向を端的に示したものであり、双方向性を排除するものではない。本実施形態の動画コンテンツ制御システムは、ユーザ端末２１１と、動画配信サーバ４０２とを備えている。ユーザ端末２１１と動画配信サーバ４０２とは、通信ネットワーク７０３を介して接続される。
【００５０】
ユーザ端末２１１は、カメラデバイス２１２と、目線検知・ユーザ認証部２１３と、動画再生アプリケーション２１４と、ストリーム選択部２１５とを含む。ユーザ端末２１１は、通信ネットワーク７０３に接続されるネットワークデバイスにより実現される。ユーザ端末２１１は、動画配信サーバ４０２から送信される動画コンテンツを画面に表示する。
【００５１】
カメラデバイス２１２は、ユーザ１０２の目線・顔情報５１１を取得するデバイスである。
【００５２】
目線検知・ユーザ認証部２１３は、ユーザ１０２の目線状態および顔画像を検知し、ユーザ１０２の認証を行う。なお、目線検知・ユーザ認証部２１３がユーザの目線状態および顔画像を検知する方法並びにユーザ１０２を認証する方法は、第１の実施形態における目線検知・ユーザ認証部２０３と同様である。
【００５３】
目線検知・ユーザ認証部２１３は、目線状態・認証結果５１２をストリーム選択部２１５に通知する。なお、ストリーム選択部２１５は、動画再生アプリケーション２１４に含まれていてもよく、動画再生アプリケーション２１４とは別であってもよい。
【００５４】
ストリーム選択部２１５は、受信した目線状態・認証結果５１２に応じて、動画配信サーバ４０２による動画コンテンツの送信態様を選択する。なお、送信態様の選択方法は、第１の実施形態でストリーム選択部３０２が送信態様を選択する方法と同様である。すなわち、ストリーム選択部２１５は、目線状態・認証結果５１２を取得し、ユーザ１０２が画面を見ている時は通常の映像ストリームを選択し、ユーザ１０２が画面を見ていない時は音声ストリームのみ、または最低ビットレートを選択する。
【００５５】
そして、ストリーム選択部２１５は、選択結果５１３を動画配信サーバ４０２に送信することで、選択した送信態様での動画コンテンツの送信を動画配信サーバ４０２に要求する。
【００５６】
動画再生アプリケーション２１４は、動画配信サーバ４０２から受信した動画コンテンツを再生する。具体的には、動画再生アプリケーション２１４は、動画コンテンツとして、音声を含む映像、または、音声のみを再生する。
【００５７】
目線検知・ユーザ認証部２１３と、動画再生アプリケーション２１４と、ストリーム選択部２１５とは、プログラム（動画コンテンツ制御プログラム）に従って動作するコンピュータのＣＰＵによって実現される。例えば、プログラムは、ユーザ端末２１１の記憶部（図示せず）に記憶され、ＣＰＵは、そのプログラムを読み込み、プログラムに従って、目線検知・ユーザ認証部２１３、動画再生アプリケーション２１４およびストリーム選択部２１５として動作してもよい。
【００５８】
動画配信サーバ４０２は、ユーザ端末２１１からの要求に応じて動画コンテンツを配信する。動画配信サーバ４０２は、制御部４０３を含む。
【００５９】
制御部４０３は、ユーザ端末２１１からの要求に応じた送信態様で動画コンテンツをユーザ端末２１１に送信する。例えば、通常の映像ストリームが送信態様として要求された場合、制御部４０３は、映像および音声を含む動画コンテンツ５１４を、無変換のままユーザ端末２１１に送信する。また、例えば、音声ストリームのみが送信態様として要求された場合、制御部４０３は、動画コンテンツから音声のみ抽出した動画コンテンツ５１５を生成し、ユーザ端末２１１に送信する。また、例えば、最低ビットレートが送信態様として要求された場合、制御部４０３は、送信するビットレートを低減させて、動画コンテンツ５１６をユーザ端末２１１に送信する。
【００６０】
なお、第１の実施形態で説明したように、ビットレートは最低である必要はない。制御部４０３は、通信ネットワーク７０３の帯域等に応じて予め定めたビットレートに低減させて動画コンテンツを送信してもよい。
【００６１】
次に、本実施形態の動画コンテンツ制御システムの動作を説明する。図４は、本実施形態の動画コンテンツ制御システムの動作例を示すフローチャートである。
【００６２】
ユーザ端末２１１は、動画コンテンツ５１４を検知する（ステップＳ２１）。ユーザ端末２１１（より具体的には、目線検知・ユーザ認証部２１３）は、ユーザ１０２の目線状態および顔画像を検知し、目線状態・認証結果５１２を取得する（ステップＳ２２）。認証結果がＮＧの場合、ユーザ端末２１１は、動画を要求しない（ステップＳ２３）。一方、認証結果がＯＫの場合、且つ、目線状態が有効の場合、ユーザ端末２１１は、動画コンテンツ５１４を動画配信サーバ４０２に要求する（ステップＳ２４）。動画配信サーバ４０２は、要求に応じて、動画コンテンツ５１４をユーザ端末２１１へ送信する（ステップＳ２５）。
【００６３】
一方、認証結果がＯＫの場合、且つ、目線状態が無効の場合、ユーザ端末２１１は、動画コンテンツ５１５（音声のみ）を動画配信サーバ４０２へ要求する。または、ユーザ端末２１１は、動画コンテンツ５１６（最低ビットレート）を動画配信サーバ４０２へ要求する（ステップＳ２６）。
【００６４】
動画配信サーバ４０２は、動画コンテンツ５１５（音声のみ）または、動画コンテンツ５１６（最低ビットレート）をユーザ端末２１１へ送信する（ステップＳ２７）。
【００６５】
ユーザ端末２１１（より具体的には、目線検知・ユーザ認証部２１３）は、動画コンテンツ５１４の終了とともに、目線検知・ユーザ認証を停止する（ステップＳ２８）。
【００６６】
以上のように、本実施形態では、ユーザ端末２１１の目線検知・ユーザ認証部２１３が、ユーザ１０２の目線状態および顔画像を検知し、検知された顔画像からユーザの認証を行う。そして、ストリーム選択部２１５が、目線状態および認証結果に応じて、動画配信サーバ４０２による動画コンテンツの送信態様を選択し、選択した送信態様での動画コンテンツの送信を動画配信サーバ４０２に要求する。動画配信サーバ４０２の制御部４０３は、ユーザ端末２１１からの要求に応じた送信態様で動画コンテンツをユーザ端末２１１に送信する。そのような構成によっても、ユーザに明示的な操作をさせることなく、動画コンテンツが送信されるネットワークの通信量を低減させるように制御できる。
【００６７】
すなわち、図３において、ユーザ１０２の目線・顔情報５１１を検出したユーザ端末２１１は、目線状態とユーザ認証との組み合わせ（目線状態・認証結果５１２）を生成する。そして、ユーザ端末２１１は、選択結果５１３を動画配信サーバ４０２へ送信し、ロック解除と同時に映像ストリーム配信を再開する。具体的には、ストリーム選択部２１５は、ユーザ１０２が画面を見ていない時は音声ストリームのみ、または最低ビットレートを選択する。これにより、ユーザ１０２自身がユーザ端末２１１を操作することなく、ユーザ１０２以外による不正利用を防止できる。さらに、これにより、トラフィックの抑制を行うことで、通信ネットワーク７０３のネットワーク資源を有効に活用できるようになる。
【００６８】
さらに、本実施形態の動画コンテンツ制御システムを実現するにあたり、第１の実施形態で示した動画管理装置３０１の設置は不要である。
【００６９】
以上、本発明による動画コンテンツ制御システムの第１の実施形態および第２の実施形態を説明した。ただし、本発明による動画コンテンツ制御システムの構成は、上記第１の実施形態および第２の実施形態に限定されない。
【００７０】
上記実施形態では、ユーザ端末の利用者が１名である場合について説明した。ただし、ユーザ端末を一時的に第三者に渡して使用させる場合も想定される。この場合、その第三者の顔情報をユーザ端末に登録しておくことで、以降、同一人物がそのユーザ端末を用いて動画コンテンツを視聴することを許可できる。
【００７１】
また、一度に動画コンテンツを視聴する人数は１名に限られず複数であってもよい。この場合、目線検知・ユーザ認証部２０３または目線検知・ユーザ認証部２１３が一部または全部のユーザの目線状態およびユーザ認証を行うことで、動画コンテンツの制御が可能になる。
【００７２】
具体的には、目線検知・ユーザ認証部２０３または目線検知・ユーザ認証部２１３が、複数のユーザの目線状態および顔画像を検知してもよい。そして、ストリーム選択部３０２またはストリーム選択部２１５は、一部のユーザが認証され、かつ、全ての目線状態がユーザ端末に表示される動画コンテンツを見ていない状態である場合、データ量を抑制するように動画コンテンツを送信する送信態様を選択してもよい。言い換えると、複数のユーザのうち、一人でもユーザの認証が出来た場合に、認証結果をＯＫとし、一人でもユーザが画面を見ていることを検知した場合に、目線状態を有効としてもよい。
【００７３】
また、本発明による動画コンテンツ制御システムを用いることで、不正利用の目的を制御する以外にも、ペアレンタルコントロールを行うことが可能になる。例えば、親が子供のユーザ端末の動画視聴を防止したり、親のユーザ端末を一時的に子供に渡した際に子供が勝手に動画を視聴するのを防止したりすることが可能である。
【００７４】
また、動画再生アプリケーション２０４（動画再生アプリケーション２１４）は、目線状態が無効の場合（ユーザが画面を見ていない場合）動画視聴を一時停止させてもよい。例えば、事業者が時間制限付きの動画形式の広告をユーザ端末へ送信する場合、広告を確実に視聴してもらうため、動画再生アプリケーションは、ユーザが画面を見ていない時に広告を一時停止し、ユーザが画面を見ている時に広告を再開してもよい。このようにすることで、ユーザに広告を確実に視聴してもらうことが可能になる。
【００７５】
次に、本発明の概要を説明する。図５は、本発明による動画コンテンツ制御システムの概要を示すブロック図である。本発明による動画コンテンツ制御システムは、サーバ（例えば、動画配信サーバ４０１）から配信される動画コンテンツを管理する動画管理装置８０（例えば、動画管理装置３０１）と、動画管理装置８０から送信される動画コンテンツを表示するユーザ端末９０（例えば、ユーザ端末２０１）とを備えている。
【００７６】
ユーザ端末９０は、ユーザの目線状態および顔画像を検知する検知部９１（例えば、目線検知・ユーザ認証部２０３）と、検知された顔画像からユーザの認証を行うユーザ認証部９２（例えば、目線検知・ユーザ認証部２０３）と、検知された目線状態および認証の結果を動画管理装置８０に送信する検知結果送信部９３（例えば、目線検知・ユーザ認証部２０３）とを含む。
【００７７】
動画管理装置８０は、受信した目線状態および認証の結果に応じて、動画コンテンツの送信態様を選択する送信態様選択部８１（例えば、ストリーム選択部３０２）と、選択された送信態様に応じて動画コンテンツをユーザ端末９０に送信する動画コンテンツ送信部８２（例えば、中継部３０３）とを含む。
【００７８】
動画管理装置８０の送信態様選択部８１は、ユーザが認証され、かつ、目線状態がユーザ端末９０に表示される動画コンテンツを見ていない状態である場合、データ量を抑制するように動画コンテンツを送信する送信態様を選択する。
【００７９】
そのような構成により、ユーザに明示的な操作をさせることなく、動画コンテンツが送信されるネットワークの通信量を低減させるように制御できる。また、ユーザが、ユーザ端末９０に表示される動画コンテンツを見ていない状態のときに、データ量を抑制するため、ユーザ満足度を低下させることも抑制できる。
【００８０】
また、送信態様選択部８１は、データ量を抑制するように動画コンテンツを送信する送信態様として、その動画コンテンツの音声のみ（動画コンテンツ５０５を）送信することを選択してもよい。そして、動画コンテンツ送信部８２は、動画コンテンツから音声を抽出してユーザ端末に送信してもよい。
【００８１】
他にも、送信態様選択部８１は、データ量を抑制するように動画コンテンツを送信する送信態様として、ユーザ端末９０に送信するビットレートを低減させる（動画コンテンツ５０６を送信する）ことを選択してもよい。そして、動画コンテンツ送信部８２は、ビットレートを低減させて動画コンテンツをユーザ端末９０に送信してもよい。
【００８２】
また、検知結果送信部９３は、ユーザが認証された場合に、検知された目線状態および認証の結果を動画管理装置に送信してもよい。
【００８３】
また、検知部９１は、複数のユーザの目線状態および顔画像を検知してもよい。そして、送信態様選択部８１は、一部のユーザが認証され、かつ、全ての目線状態がユーザ端末９０に表示される動画コンテンツを見ていない状態である場合、データ量を抑制するように動画コンテンツを送信する送信態様を選択してもよい。
【００８４】
図６は、本発明による動画コンテンツ制御システムの他の概要を示すブロック図である。本発明による動画コンテンツ制御システムは、要求に応じて動画コンテンツを配信する配信サーバ６０（例えば、動画配信サーバ４０２）と、配信サーバ６０から送信される動画コンテンツを表示するユーザ端末７０（例えば、ユーザ端末２１１）とを備えている。
【００８５】
ユーザ端末７０は、ユーザの目線状態および顔画像を検知する検知部７１（例えば、目線検知・ユーザ認証部２１３）と、検知された顔画像からユーザの認証を行うユーザ認証部７２（例えば、目線検知・ユーザ認証部２１３）と、目線状態および認証の結果に応じて、配信サーバ６０による動画コンテンツの送信態様を選択する送信態様選択部７３（例えば、ストリーム選択部２１５）と、上記送信態様での動画コンテンツの送信を配信サーバ６０に要求する配信要求部７４（例えば、ストリーム選択部２１５）とを含む。
【００８６】
配信サーバ６０は、ユーザ端末７０からの要求に応じた送信態様で動画コンテンツをそのユーザ端末７０に送信する動画コンテンツ送信部６１（例えば、制御部４０３）を含む。ユーザ端末７０の送信態様選択部７３は、データ量を抑制するように動画コンテンツを送信する送信態様を選択する。
【００８７】
そのような構成によっても、ユーザに明示的な操作をさせることなく、動画コンテンツが送信されるネットワークの通信量を低減させるように制御できる。
【００８８】
図７は、本発明による動画管理装置の概要を示すブロック図である。本発明による動画管理装置は、サーバ（例えば、動画配信サーバ４０１）から配信される動画コンテンツを管理する動画管理装置５０（例えば、動画管理装置３０１）であって、動画管理装置５０から送信される動画コンテンツを表示するユーザ端末（例えば、ユーザ端末２０１）から、検知されたユーザの顔画像による認証の結果、および、ユーザの目線状態を受信し、受信した目線状態および認証の結果に応じて、動画コンテンツの送信態様を選択する送信態様選択部５１（例えば、ストリーム選択部３０２）と、選択された送信態様に応じて動画コンテンツをユーザ端末に送信する動画コンテンツ送信部５２（例えば、中継部３０３）とを備えている。
【００８９】
送信態様選択部５１は、ユーザが認証され、かつ、目線状態がユーザ端末に表示される動画コンテンツを見ていない状態である場合、データ量を抑制するように動画コンテンツを送信する送信態様を選択する。
【００９０】
そのような構成によっても、ユーザに明示的な操作をさせることなく、動画コンテンツが送信されるネットワークの通信量を低減させるように制御できる。
【００９１】
図８は、本発明によるユーザ端末の概要を示すブロック図である。本発明によるユーザ端末は、配信サーバ（例えば、動画配信サーバ４０２）から送信される動画コンテンツを表示するユーザ端末４０（例えば、ユーザ端末２１１）であって、ユーザの目線状態および顔画像を検知する検知部４１（例えば、目線検知・ユーザ認証部２１３）と、検知された顔画像からユーザの認証を行うユーザ認証部４２（例えば、目線検知・ユーザ認証部２１３）と、目線状態および認証の結果に応じて、配信サーバによる動画コンテンツの送信態様を選択する送信態様選択部４３（例えば、ストリーム選択部２１５）と、上記送信態様での動画コンテンツの送信を配信サーバに要求する配信要求部４４（例えば、ストリーム選択部２１５）とを備えている。
【００９２】
送信態様選択部４３は、データ量を抑制するように動画コンテンツを送信する送信態様を選択する。
【００９３】
そのような構成によっても、ユーザに明示的な操作をさせることなく、動画コンテンツが送信されるネットワークの通信量を低減させるように制御できる。
【００９４】
上記の実施形態の一部又は全部は、以下の付記のようにも記載されうるが、以下には限られない。
【００９５】
（付記１）サーバから配信される動画コンテンツを管理する動画管理装置と、前記動画管理装置から送信される前記動画コンテンツを表示するユーザ端末とを備え、前記ユーザ端末は、ユーザの目線状態および顔画像を検知する検知部と、検知された顔画像から前記ユーザの認証を行うユーザ認証部と、検知された目線状態および前記認証の結果を前記動画管理装置に送信する検知結果送信部とを含み、前記動画管理装置は、受信した目線状態および認証の結果に応じて、動画コンテンツの送信態様を選択する送信態様選択部と、選択された送信態様に応じて前記動画コンテンツを前記ユーザ端末に送信する動画コンテンツ送信部とを含み、前記動画管理装置の送信態様選択部は、前記ユーザが認証され、かつ、前記目線状態が前記ユーザ端末に表示される動画コンテンツを見ていない状態である場合、データ量を抑制するように動画コンテンツを送信する送信態様を選択することを特徴とする動画コンテンツ制御システム。
【００９６】
（付記２）送信態様選択部は、データ量を抑制するように動画コンテンツを送信する送信態様として、当該動画コンテンツの音声のみ送信することを選択し、動画コンテンツ送信部は、動画コンテンツから音声を抽出してユーザ端末に送信する付記１記載の動画コンテンツ制御システム。
【００９７】
（付記３）送信態様選択部は、データ量を抑制するように動画コンテンツを送信する送信態様として、ユーザ端末に送信するビットレートを低減させることを選択し、動画コンテンツ送信部は、ビットレートを低減させて動画コンテンツをユーザ端末に送信する付記１記載の動画コンテンツ制御システム。
【００９８】
（付記４）検知結果送信部は、ユーザが認証された場合に、検知された目線状態および認証の結果を動画管理装置に送信する付記１から付記３のうちのいずれか１つに記載の動画コンテンツ制御システム。
【００９９】
（付記５）検知部は、複数のユーザの目線状態および顔画像を検知し、送信態様選択部は、一部のユーザが認証され、かつ、全ての目線状態が前記ユーザ端末に表示される動画コンテンツを見ていない状態である場合、データ量を抑制するように動画コンテンツを送信する送信態様を選択する付記１から付記４のうちのいずれか１つに記載の動画コンテンツ制御システム。
【０１００】
（付記６）要求に応じて動画コンテンツを配信する配信サーバと、前記配信サーバから送信される前記動画コンテンツを表示するユーザ端末とを備え、前記ユーザ端末は、ユーザの目線状態および顔画像を検知する検知部と、検知された顔画像から前記ユーザの認証を行うユーザ認証部と、前記目線状態および認証の結果に応じて、前記配信サーバによる動画コンテンツの送信態様を選択する送信態様選択部と、前記送信態様での動画コンテンツの送信を前記配信サーバに要求する配信要求部とを含み、前記配信サーバは、前記ユーザ端末からの要求に応じた送信態様で前記動画コンテンツを当該ユーザ端末に送信する動画コンテンツ送信部を含み、前記ユーザ端末の送信態様選択部は、データ量を抑制するように動画コンテンツを送信する送信態様を選択することを特徴とする動画コンテンツ制御システム。
【０１０１】
（付記７）送信態様選択部は、データ量を抑制するように動画コンテンツを送信する送信態様として、当該動画コンテンツの音声のみ送信することを選択し、動画コンテンツ送信部は、動画コンテンツから音声を抽出してユーザ端末に送信する付記６記載の動画コンテンツ制御システム。
【０１０２】
（付記８）送信態様選択部は、データ量を抑制するように動画コンテンツを送信する送信態様として、ユーザ端末に送信するビットレートを低減させることを選択し、動画コンテンツ送信部は、ビットレートを低減させて動画コンテンツをユーザ端末に送信する付記６記載の動画コンテンツ制御システム。
【０１０３】
（付記９）サーバから配信される動画コンテンツを管理する動画管理装置であって、前記動画管理装置から送信される前記動画コンテンツを表示するユーザ端末から、検知されたユーザの顔画像による認証の結果、および、ユーザの目線状態を受信し、受信した目線状態および認証の結果に応じて、動画コンテンツの送信態様を選択する送信態様選択部と、選択された送信態様に応じて前記動画コンテンツを前記ユーザ端末に送信する動画コンテンツ送信部とを備え、前記送信態様選択部は、前記ユーザが認証され、かつ、前記目線状態が前記ユーザ端末に表示される動画コンテンツを見ていない状態である場合、データ量を抑制するように動画コンテンツを送信する送信態様を選択することを特徴とする動画管理装置。
【０１０４】
（付記１０）送信態様選択部は、データ量を抑制するように動画コンテンツを送信する送信態様として、当該動画コンテンツの音声のみ送信することを選択し、動画コンテンツ送信部は、動画コンテンツから音声を抽出してユーザ端末に送信する付記９記載の動画管理装置。
【０１０５】
（付記１１）送信態様選択部は、データ量を抑制するように動画コンテンツを送信する送信態様として、ユーザ端末に送信するビットレートを低減させることを選択し、動画コンテンツ送信部は、ビットレートを低減させて動画コンテンツをユーザ端末に送信する付記９記載の動画管理装置。
【０１０６】
（付記１２）配信サーバから送信される動画コンテンツを表示するユーザ端末であって、ユーザの目線状態および顔画像を検知する検知部と、検知された顔画像から前記ユーザの認証を行うユーザ認証部と、前記目線状態および認証の結果に応じて、前記配信サーバによる動画コンテンツの送信態様を選択する送信態様選択部と、前記送信態様での動画コンテンツの送信を前記配信サーバに要求する配信要求部とを備え、前記送信態様選択部は、データ量を抑制するように動画コンテンツを送信する送信態様を選択することを特徴とするユーザ端末。
【０１０７】
（付記１３）送信態様選択部は、データ量を抑制するように動画コンテンツを送信する送信態様として、当該動画コンテンツの音声のみ送信することを選択する付記１２記載のユーザ端末。
【０１０８】
（付記１４）送信態様選択部は、データ量を抑制するように動画コンテンツを送信する送信態様として、ユーザ端末に送信するビットレートを低減させることを選択する付記１２記載のユーザ端末。
【０１０９】
（付記１５）動画コンテンツを表示するユーザ端末が、ユーザの目線状態および顔画像を検知し、前記ユーザ端末が、検知された顔画像から前記ユーザの認証を行い、前記ユーザ端末が、検知された目線状態および前記認証の結果を、サーバから配信される動画コンテンツを前記ユーザ端末に送信する動画管理装置に送信し、前記動画管理装置が、前記ユーザ端末から受信した目線状態および認証の結果に応じて、動画コンテンツの送信態様を選択し、前記動画管理装置が、選択された送信態様に応じて前記動画コンテンツを前記ユーザ端末に送信し、前記送信態様を選択する際、前記動画管理装置が、前記ユーザが認証され、かつ、前記目線状態が前記ユーザ端末に表示される動画コンテンツを見ていない状態である場合、データ量を抑制するように動画コンテンツを送信する送信態様を選択することを特徴とする動画コンテンツ制御方法。
【０１１０】
（付記１６）動画管理装置が、データ量を抑制するように動画コンテンツを送信する送信態様として、当該動画コンテンツの音声のみ送信することを選択し、前記動画管理装置が、動画コンテンツから音声を抽出してユーザ端末に送信する付記１５記載の動画コンテンツ制御方法。
【０１１１】
（付記１７）動画管理装置が、データ量を抑制するように動画コンテンツを送信する送信態様として、ユーザ端末に送信するビットレートを低減させることを選択し、前記動画管理装置が、ビットレートを低減させて動画コンテンツをユーザ端末に送信する付記１５記載の動画コンテンツ制御方法。
【０１１２】
（付記１８）動画コンテンツを表示するユーザ端末が、ユーザの目線状態および顔画像を検知し、前記ユーザ端末が、検知された顔画像から前記ユーザの認証を行い、前記ユーザ端末が、要求に応じて動画コンテンツを配信する配信サーバによる動画コンテンツの送信態様を、前記目線状態および認証の結果に応じて選択し、前記ユーザ端末が、前記送信態様での動画コンテンツの送信を前記配信サーバに要求し、前記配信サーバが、前記ユーザ端末からの要求に応じた送信態様で前記動画コンテンツを当該ユーザ端末に送信し、前記送信態様を選択する際、前記ユーザ端末が、データ量を抑制するように動画コンテンツを送信する送信態様を選択することを特徴とする動画コンテンツ制御方法。
【０１１３】
（付記１９）ユーザ端末が、データ量を抑制するように動画コンテンツを送信する送信態様として、当該動画コンテンツの音声のみ送信することを選択し、配信サーバが、動画コンテンツから音声を抽出してユーザ端末に送信する付記１８記載の動画コンテンツ制御方法。
【０１１４】
（付記２０）ユーザ端末が、データ量を抑制するように動画コンテンツを送信する送信態様として、ユーザ端末に送信するビットレートを低減させることを選択し、配信サーバが、ビットレートを低減させて動画コンテンツをユーザ端末に送信する付記１８記載の動画コンテンツ制御方法。
【０１１５】
（付記２１）サーバから配信される動画コンテンツを管理する動画管理方法であって、前記動画管理装置から送信される前記動画コンテンツを表示するユーザ端末から、検知されたユーザの顔画像による認証の結果、および、ユーザの目線状態を受信し、受信した目線状態および認証の結果に応じて、動画コンテンツの送信態様を選択し、選択された送信態様に応じて前記動画コンテンツを前記ユーザ端末に送信し、前記送信態様を選択する際、前記ユーザが認証され、かつ、前記目線状態が前記ユーザ端末に表示される動画コンテンツを見ていない状態である場合、データ量を抑制するように動画コンテンツを送信する送信態様を選択することを特徴とする動画管理方法。
【０１１６】
（付記２２）データ量を抑制するように動画コンテンツを送信する送信態様として、当該動画コンテンツの音声のみ送信することを選択し、動画コンテンツから音声を抽出してユーザ端末に送信する付記２１記載の動画管理方法。
【０１１７】
（付記２３）データ量を抑制するように動画コンテンツを送信する送信態様として、ユーザ端末に送信するビットレートを低減させることを選択し、ビットレートを低減させて動画コンテンツをユーザ端末に送信する付記２１記載の動画管理方法。
【０１１８】
（付記２４）配信サーバから送信される動画コンテンツを受信して表示する動画コンテンツ受信方法であって、ユーザの目線状態および顔画像を検知し、検知された顔画像から前記ユーザの認証を行い、前記目線状態および認証の結果に応じて、前記配信サーバによる動画コンテンツの送信態様を選択し、前記送信態様での動画コンテンツの送信を前記配信サーバに要求し、前記送信態様を選択する際、データ量を抑制するように動画コンテンツを送信する送信態様を選択することを特徴とする動画コンテンツ受信方法。
【０１１９】
（付記２５）データ量を抑制するように動画コンテンツを送信する送信態様として、当該動画コンテンツの音声のみ送信することを選択する付記２４記載の動画コンテンツ受信方法。
【０１２０】
（付記２６）データ量を抑制するように動画コンテンツを送信する送信態様として、ユーザ端末に送信するビットレートを低減させることを選択する付記２４記載の動画コンテンツ受信方法。
【０１２１】
（付記２７）サーバから配信される動画コンテンツを管理するコンピュータに適用される動画コンテンツ制御プログラムであって、前記コンピュータに、当該コンピュータから送信される前記動画コンテンツを表示するユーザ端末から、検知されたユーザの顔画像による認証の結果、および、ユーザの目線状態を受信し、受信した目線状態および認証の結果に応じて、動画コンテンツの送信態様を選択する送信態様選択処理、および、選択された送信態様に応じて前記動画コンテンツを前記ユーザ端末に送信する動画コンテンツ送信処理を実行させ、前記送信態様選択処理で、前記ユーザが認証され、かつ、前記目線状態が前記ユーザ端末に表示される動画コンテンツを見ていない状態である場合、データ量を抑制するように動画コンテンツを送信する送信態様を選択させるための動画コンテンツ制御プログラム。
【０１２２】
（付記２８）コンピュータに、送信態様選択処理で、データ量を抑制するように動画コンテンツを送信する送信態様として、当該動画コンテンツの音声のみ送信することを選択させ、動画コンテンツ送信処理で、動画コンテンツから音声を抽出してユーザ端末に送信させる付記２７記載の動画コンテンツ制御プログラム。
【０１２３】
（付記２９）コンピュータに、送信態様選択処理で、データ量を抑制するように動画コンテンツを送信する送信態様として、ユーザ端末に送信するビットレートを低減させることを選択させ、動画コンテンツ送信処理で、ビットレートを低減させて動画コンテンツをユーザ端末に送信させる付記２７記載の動画コンテンツ制御プログラム。
【０１２４】
（付記３０）配信サーバから送信される動画コンテンツを表示するコンピュータに適用される動画コンテンツ制御プログラムであって、前記コンピュータに、ユーザの目線状態および顔画像を検知する検知処理、検知された顔画像から前記ユーザの認証を行うユーザ認証処理、前記目線状態および認証の結果に応じて、前記配信サーバによる動画コンテンツの送信態様を選択する送信態様選択処理、および、前記送信態様での動画コンテンツの送信を前記配信サーバに要求する配信要求処理を実行させ、前記送信態様選択処理で、データ量を抑制するように動画コンテンツを送信する送信態様を選択させるための動画コンテンツ制御プログラム。
【０１２５】
（付記３１）コンピュータに、送信態様選択処理で、データ量を抑制するように動画コンテンツを送信する送信態様として、当該動画コンテンツの音声のみ送信することを選択させる付記３０記載の動画コンテンツ制御プログラム。
【０１２６】
（付記３２）コンピュータに、送信態様選択処理で、データ量を抑制するように動画コンテンツを送信する送信態様として、ユーザ端末に送信するビットレートを低減させることを選択させる付記３０記載の動画コンテンツ制御プログラム。
【産業上の利用可能性】
【０１２７】
本発明は、再生される動画コンテンツを制御する動画コンテンツ制御システムに好適に適用される。また、また、本発明は、カメラを備えたネットワークデバイスによる移動体通信にも好適に適用される。【０１２８】
以上、実施形態及び実施例を参照して本願発明を説明したが、本願発明は上記実施形態および実施例に限定されるものではない。本願発明の構成や詳細には、本願発明のスコープ内で当業者が理解し得る様々な変更をすることができる。【０１２９】
この出願は、２０１７年３月２８日に出願された日本特許出願２０１７−０６２１１５を基礎とする優先権を主張し、その開示の全てをここに取り込む。
【符号の説明】
【０１３０】
１０１，１０２  ユーザ
２０１，２１１  ユーザ端末
２０２，２１２  カメラデバイス
２０３，２１３  目線検知・ユーザ認証部
２０４，２１４  動画再生アプリケーション
２１５，３０２  ストリーム選択部
３０１  動画管理装置
３０３  中継部
４０１，４０２  動画配信サーバ
【図１】
2018179880.tif 000003
【図２】
2018179880.tif 000004
【図３】
2018179880.tif 000005
【図４】
2018179880.tif 000006
【図５】
2018179880.tif 000007
【図６】
2018179880.tif 000008
【図７】
2018179880.tif 000009
【図８】
2018179880.tif 000010
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
サーバから配信される動画コンテンツを管理する動画管理装置と、
前記動画管理装置から送信される前記動画コンテンツを表示するユーザ端末とを備え、
前記ユーザ端末は、ユーザの目線状態および顔画像を検知する検知部と、検知された顔画像から前記ユーザの認証を行うユーザ認証部と、
検知された目線状態および前記認証の結果を前記動画管理装置に送信する検知結果送信部とを含み、
前記動画管理装置は、
受信した目線状態および認証の結果に応じて、動画コンテンツの送信態様を選択する送信態様選択部と、
選択された送信態様に応じて前記動画コンテンツを前記ユーザ端末に送信する動画コンテンツ送信部とを含み、
前記動画管理装置の送信態様選択部は、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画コンテンツ制御システム。
【請求項２】
送信態様選択部は、データ量を抑制するように動画コンテンツを送信する送信態様として、当該動画コンテンツの音声のみ送信することを選択し、
動画コンテンツ送信部は、動画コンテンツから音声を抽出してユーザ端末に送信する
請求項１記載の動画コンテンツ制御システム。
【請求項３】
送信態様選択部は、データ量を抑制するように動画コンテンツを送信する送信態様として、ユーザ端末に送信するビットレートを低減させることを選択し、
動画コンテンツ送信部は、ビットレートを低減させて動画コンテンツをユーザ端末に送信する
請求項１記載の動画コンテンツ制御システム。
【請求項４】
検知結果送信部は、ユーザが認証された場合に、検知された目線状態および認証の結果を動画管理装置に送信する
請求項１から請求項３のうちのいずれか１項に記載の動画コンテンツ制御システム。
【請求項５】
検知部は、複数のユーザの目線状態および顔画像を検知し、
送信態様選択部は、一部のユーザが認証され、かつ、全ての目線状態が前記ユーザ端末に表示される動画コンテンツを見ていない状態である場合、データ量を抑制するように動画コンテンツを送信する送信態様を選択する
請求項１から請求項４のうちのいずれか１項に記載の動画コンテンツ制御システム。
【請求項６】
サーバから配信される動画コンテンツを管理する動画管理装置であって、
前記動画管理装置から送信される前記動画コンテンツを表示するユーザ端末から、検知されたユーザの顔画像による認証の結果、および、ユーザの目線状態を受信し、受信した目線状態および認証の結果に応じて、動画コンテンツの送信態様を選択する送信態様選択部と、
選択された送信態様に応じて前記動画コンテンツを前記ユーザ端末に送信する動画コンテンツ送信部とを備え、
前記送信態様選択部は、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画管理装置。
【請求項７】
配信サーバから送信される動画コンテンツを表示するユーザ端末であって、
ユーザの目線状態および顔画像を検知する検知部と、
検知された顔画像から前記ユーザの認証を行うユーザ認証部と、
前記目線状態および認証の結果に応じて、前記配信サーバによる動画コンテンツの送信態様を選択する送信態様選択部と、
前記送信態様での動画コンテンツの送信を前記配信サーバに要求する配信要求部とを備え、
前記送信態様選択部は、データ量を抑制するように動画コンテンツを送信する送信態様を選択する
ことを特徴とするユーザ端末。
【請求項８】
動画コンテンツを表示するユーザ端末が、ユーザの目線状態および顔画像を検知し、
前記ユーザ端末が、検知された顔画像から前記ユーザの認証を行い、
前記ユーザ端末が、検知された目線状態および前記認証の結果を、サーバから配信される動画コンテンツを前記ユーザ端末に送信する動画管理装置に送信し、
前記動画管理装置が、前記ユーザ端末から受信した目線状態および認証の結果に応じて、動画コンテンツの送信態様を選択し、
前記動画管理装置が、選択された送信態様に応じて前記動画コンテンツを前記ユーザ端末に送信し、
前記送信態様を選択する際、前記動画管理装置が、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画コンテンツ制御方法。
【請求項９】
サーバから配信される動画コンテンツを管理する動画管理方法であって、
前記動画管理装置から送信される前記動画コンテンツを表示するユーザ端末から、検知されたユーザの顔画像による認証の結果、および、ユーザの目線状態を受信し、
受信した目線状態および認証の結果に応じて、動画コンテンツの送信態様を選択し、
選択された送信態様に応じて前記動画コンテンツを前記ユーザ端末に送信し、
前記送信態様を選択する際、前記ユーザが認証され、かつ、前記目線状態が前記ユーザ端末に表示される動画コンテンツを見ていない状態である場合、データ量を抑制するように動画コンテンツを送信する送信態様を選択する
ことを特徴とする動画管理方法。
【請求項１０】
配信サーバから送信される動画コンテンツを受信して表示する動画コンテンツ受信方法であって、
ユーザの目線状態および顔画像を検知し、
検知された顔画像から前記ユーザの認証を行い、
前記目線状態および認証の結果に応じて、前記配信サーバによる動画コンテンツの送信態様を選択し、
前記送信態様での動画コンテンツの送信を前記配信サーバに要求し、
前記送信態様を選択する際、データ量を抑制するように動画コンテンツを送信する送信態様を選択する
ことを特徴とする動画コンテンツ受信方法。
【国際調査報告】
2018179880.tif 000011
2018179880.tif 000012
2018179880.tif 000013